【手続補正書】
【提出日】平成19年9月25日(2007.9.25)
【手続補正１】
【補正対象書類名】明細書
【補正対象項目名】特許請求の範囲
【補正方法】変更
【補正の内容】
【特許請求の範囲】
【請求項１】  温度を制御するのを助ける装置を有する金型であって、前記金型が、内部に少なくとも１つの閉鎖チャンバを有し、前記チャンバの一部に、液体のみが満たされ、前記チャンバの残部に、チャンバ内の液体の実質的に蒸気のみが満たされ、前記チャンバの少なくとも一部が、熱を前記金型の目標個所から前記チャンバ内の液体に伝達するように配置されており、熱交換によりチャンバ内の蒸気の凝縮を行う凝縮手段を有する金型において、
前記チャンバ内の異なる高さのところに液体を分散させて到達させ或いは保持するように、液体が、使用時に、前記チャンバに分散されるように構成されていることを特徴とする金型。
【請求項２】  前記チャンバの底部より上方に配置された底部を備える少なくとも１つのリザーバを前記チャンバ内に有することによって、異なる高さの液体が得られることを特徴とする請求項１に記載の金型。
【請求項３】  前記チャンバ内の基礎液面より上方の内面の表面に液体を付加することによって、異なる高さの液体が得られることを特徴とする請求項１又は２に記載の金型。
【請求項４】  通路を有し、少なくとも入口が前記チャンバの基礎上側液面より上方にある前記通路内の液体の一部によって、異なる高さの液体が得られることを特徴とする請求項１から３までのいずれか１項に記載の金型。
【請求項５】  液体を選定し、或いは発泡を行う添加剤を含むことによって、異なる高さが得られることを特徴とする請求項１から４までのいずれか１項に記載の金型。
【請求項６】  前記液体が発泡剤を含むことを特徴とする請求項１に記載の金型。
【請求項７】  前記液体が主として水であり、前記発泡剤が界面活性剤であることを特徴とする請求項１又は２に記載の金型。
【請求項８】  前記チャンバの一部を形成する通路内に液体通路が設けられ、前記液体通路が、液体の表面張力により液体の通過が阻止される寸法を有することを特徴とする請求項１から７までのいずれか１項に記載の金型。
【請求項９】  前記チャンバに、液体を保持するようになった少なくとも１つの液体用リザーバが設けられ、前記リザーバ内の液体の水頭が、このような液体の高さ以下であり、前記チャンバ内の他の液体以上であることを特徴とする請求項１から８までのいずれか１項に記載の金型。
【請求項１０】  下側入口と上側出口とを有する実質的に垂直な導管と、前記導管の一部に隣接する熱源と、液体を沸騰させることによって前記導管内を上昇する液体を保持し、前記チャンバ内に通常存在する上側液面より上方の高さのところでパーコレータ型の作用を行う手段とを備えることを特徴とする請求項１から９のいずれか１項に記載の金型。
【請求項１１】  チャンバ内の導管形状への入口個所より高いところで液体を集める手段と、インジェクタ導管から前記導管形状内に前記液体の供給を行う手段とを備えることを特徴とする請求項１０に記載の金型。
【請求項１２】  前記チャンバ内において蒸気の凝縮を行う領域の下に設けられるリザーバと、前記リザーバから前記インジェクタ導管内に延びる導管とを備え、前記導管が、液体の水頭及び前記導管の寸法に応じた速度で液体が流れる孔を有することを特徴とする請求項１１に記載の金型。
【請求項１３】  前記閉鎖チャンバの一部を形成する導管を備え、前記導管が、通常の液面以下になるようなチャンバ内の下側位置のところに設けられた入口と、液体を保持用リザーバに差し向ける上側出口とを有することを特徴とする請求項１から１２までのいずれか１項に記載の金型。
【請求項１４】  前記導管に近接して、熱源を提供する手段が設けられていることを特徴とする請求項１３に記載の金型。
【請求項１５】  液体の限定量を保持する少なくとも１つのダム又はリザーバを備え、前記ダム又はリザーバが、前記チャンバ内の液体の沸騰の際、時おり、実質的な沸騰作用を引き起こして液体を適当な高さに上昇させる蒸発作用への迅速な転移によって、或いは、凝縮液が１又はそれ以上の前記ダム又はリザーバに差し向けられることによって、液体を収集するように構成されることを特徴とする請求項１から１４までのいずれか１項に記載の金型。
【請求項１６】  前記ダム又はリザーバが、液体が満たされるとオバーフローするように構成されており、このカスケード作用により、各ダム又はリザーバが所定の液面即ち水頭に維持され、液体が所定のリザーバ又はダム内で沸騰する適度な小範囲の温度を維持することが確保されることを特徴とする請求項１から１５までのいずれか１項に記載の金型。
【請求項１７】  前記チャンバの内壁に表面材料が付けられることを特徴とする請求項１から１６までのいずれか１項に記載の金型。
【請求項１８】  前記チャンバの内壁の少なくとも一部が材料で被覆され、液体と前記材料との間の表面張力が、液体を壁に向かって保持し続けるのを助けることを特徴とする請求項１７に記載の金型。
【請求項１９】  多数の短いストランドのファイバの形態のフロックが、表面に密接して取り付けられ、このように処理された所定領域に到達する液体が、大きな深さを有するものであるように保持され、従って、大きなリザーバとして作用することを特徴とする請求項１７に記載の金型。
【請求項２０】  閉鎖チャンバを有し、熱伝達システムを使用して熱伝達を行うプラスチック材料成形用金型において、
チャンバの表面の少なくとも一部に、チャンバの壁の目標表面に隣接して液体の保持を助ける別の材料が取り付けられていることを特徴とする金型。
【請求項２１】  前記液体が水であることを特徴とする請求項２０に記載の金型。
【請求項２２】  発泡剤が界面活性発泡剤であることを特徴とする請求項２１に記載の金型。
【請求項２３】  発泡を引き起こす液体フィルムによって補充が行われ、所定表面領域にわたって湿潤状態にされることを特徴とする請求項１又は２に記載の金型。
【請求項２４】  液体と接続し、上端が閉鎖された通路を前記チャンバ内に備え、前記通路が、前記通路内の液面を外部から判断することができる程度に見ることができる部分を少なくとも有し、入口と閉鎖上端とを有する前記通路の位置が、通路内の液面が、チャンバ内の第１排気状態が存在する第１レベルから、チャンバ内の排気度が前記第１排気状態以下である第２レベルまで変化するようなものであることを特徴とする請求項１又は２に記載の金型。
【請求項２５】  金型の閉鎖チャンバ内において熱伝達を行う方法であって、前記閉鎖チャンバ内に液体が満たされ、前記閉鎖チャンバの前記液体より上方の空隙内に前記液体の蒸気が満たされ、熱を取り出すために選定されたチャンバの表面が、前記チャンバの液面より上方にあり、前記液面が、前記チャンバ内の異なる高さのところにあることを特徴とする方法。
【請求項２６】  金型の閉鎖チャンバ内において熱伝達を行う方法であって、前記閉鎖チャンバ内に液体が満たされ、前記閉鎖チャンバの前記液体より上方の空隙内に前記液体の蒸気が満たされ、熱を取り出すために選定されたチャンバの表面が、前記チャンバの液面より上方にあり、前記選定された領域に対して時おり液体の補充を行い、前記選定された領域が、液体の表面張力により液体の保持を行う処理を含むことを特徴とする方法。
【請求項２７】  金型の閉鎖チャンバ内において熱伝達を行う方法であって、前記閉鎖チャンバ内に液体が満たされ、前記閉鎖チャンバの前記液体より上方の空隙内に前記液体の蒸気が満たされ、熱を取り出すために前記チャンバ又は凝縮器の表面が、前記チャンバ内の液面の上方にあり、選定された領域に対して時おり液体の補充を行い、前記選定された領域が、液体の表面張力により液体の保持を行う処理を含むことを特徴とする方法。
【手続補正２】
【補正対象書類名】明細書
【補正対象項目名】００３３
【補正方法】変更
【補正の内容】
【００３３】
空気の除去の度合いは（この場合には、金型の壁を通る閉鎖可能な出口４ａに真空ポンプ（図示せず）を付けることによって達成されるが）、実質的に全ての空気が除去されるようなものであり、チャンバ内の液体の蒸気のみが、残りのチャンバ領域を実質的に満たす。好ましい実施の形態においては水である液体は、まず、チャンバ４内への挿入前に、例えば標準的な大気圧で水を強力に沸騰させることによって、実質的に全ての溶解気体が除去されるように、処理される。しかしながら、真空ポンプを使用して排気する場合には、水をチャンバ４内に導入した後、真空ポンプを使用してこのような溶解気体を除去することもできる。
【手続補正３】
【補正対象書類名】図面
【補正対象項目名】図１
【補正方法】変更
【補正の内容】
【図１】
2003510199.tif 000001